(57)【特許請求の範囲】
【請求項１】
複数の誘電体層が積層されてなる積層体と、
該積層体の下面に配置された、アース電位に接続される第１のアース電極と、
前記積層体の上面に配置された、アース電位に接続される第２のアース電極と、
前記積層体の一つの層間に一方端と他方端とが互い違いになるように横並びに配置された、それぞれ前記一方端がアース電位に接続されて１／４波長共振器として機能するとともに相互に電磁界結合する帯状の複数の共振電極と、
前記一つの層間に前記複数の共振電極の周囲を取り囲む環状に形成され、前記複数の共振電極の前記一方端が接続された、アース電位に接続される環状アース電極と、
前記積層体の前記一つの層間とは異なる層間に配置された、前記複数の共振電極のうち入力段の共振電極の半分以上に渡る領域と対向して電磁界結合するとともに、外部回路からの電気信号が入力される電気信号入力点を有する帯状の入力結合電極と、
前記積層体の前記一つの層間とは異なる層間に配置された、前記複数の共振電極のうち出力段の共振電極の半分以上に渡る領域と対向して電磁界結合するとともに、外部回路へ向けて電気信号が出力される電気信号出力点を有する帯状の出力結合電極とを備えるバンドパスフィルタであって、
前記入力結合電極は、前記電気信号入力点が前記入力段の共振電極との対向部における長さ方向の中央よりも前記入力段の共振電極の前記他方端に近い側に位置しており、
前記出力結合電極は、前記電気信号出力点が前記出力段の共振電極との対向部における長さ方向の中央よりも前記出力段の共振電極の前記他方端に近い側に位置しており、
前記入力結合電極または前記出力結合電極の少なくとも一方は、長さ方向における前記電気信号入力点または前記電気信号出力点と反対側の一方端部が、対向する前記入力段の共振電極または前記出力段の共振電極の前記一方端を越えて前記環状アース電極と対向するように延長されていることを特徴とするバンドパスフィルタ。
【請求項２】
前記積層体の前記入力結合電極または前記出力結合電極の少なくとも一方が配置された層間に対して前記一つの層間と反対側に位置する層間に、前記入力結合電極または前記出力結合電極の少なくとも一方の前記一方端部と対向するように配置された補助アース電極を備えることを特徴とする請求項１に記載のバンドパスフィルタ。
【請求項３】
前記入力結合電極または前記出力結合電極の少なくとも一方の前記一方端部は、対向する前記入力段の共振電極または前記出力段の共振電極の前記一方端を越えて前記環状アース電極と対向するように延長されて前記環状アース電極に沿って折り曲げられていることを特徴とする請求項１または請求項２に記載のバンドパスフィルタ。
【請求項４】
前記入力結合電極および前記出力結合電極の前記一方端部は、対向する前記入力段の共振電極または前記出力段の共振電極の前記一方端を越えて前記環状アース電極と対向するように延長されて前記環状アース電極に沿って折り曲げられており、且つ前記入力結合電極および前記出力結合電極の電気長が互いに異なっていることを特徴とする請求項３に記載のバンドパスフィルタ。
【請求項５】
前記入力結合電極および前記出力結合電極の前記一方端部は、対向する前記入力段の共振電極または前記出力段の共振電極の前記一方端を越えて前記環状アース電極と対向するように延長されて互いに遠ざかるように折り曲げられていることを特徴とする請求項４に記載のバンドパスフィルタ。
【請求項６】
前記積層体の前記一つの層間とは異なる層間に前記環状アース電極に対向する領域と前記共振電極に対向する領域とを有するように配置され、前記共振電極に対向する領域が前記共振電極との間に位置する前記誘電体層を貫通する第１の貫通導体によって前記共振電極の前記他方端側に接続された補助共振電極が、前記複数の共振電極の各々に対応して配置されていることを特徴とする請求項１乃至請求項５のいずれかに記載のバンドパスフィルタ。
【請求項７】
前記積層体の前記一つの層間とは異なる層間とさらに異なる層間に前記複数の補助共振電極のうち前記入力段の共振電極に接続された補助共振電極に対向する領域と前記入力結合電極に対向する領域とを有するように配置され、前記入力結合電極に対向する領域が前記入力結合電極との間に位置する前記誘電体層を貫通する第２の貫通導体によって前記入力結合電極の前記入力段の共振電極との対向部における長さ方向の中央よりも前記入力段の共振電極の前記他方端に近い側に接続された補助入力結合電極と、
前記積層体の前記一つの層間とは異なる層間とさらに異なる層間に前記複数の補助共振電極のうち前記出力段の共振電極に接続された補助共振電極に対向する領域と前記出力結合電極に対向する領域とを有するように配置され、前記出力結合電極に対向する領域が前記出力結合電極との間に位置する前記誘電体層を貫通する第３の貫通導体によって前記出力結合電極の前記出力段の共振電極との対向部における長さ方向の中央よりも前記出力段の共振電極の前記他方端に近い側に接続された補助出力結合電極とを備えることを特徴とする請求項６に記載のバンドパスフィルタ。
【請求項８】
請求項１乃至請求項７のいずれかに記載のバンドパスフィルタを備えることを特徴とする無線通信モジュール。
【請求項９】
請求項１乃至請求項７のいずれかに記載のバンドパスフィルタを含むＲＦ部と、該ＲＦ部に接続されたベースバンド部と、前記ＲＦ部に接続されたアンテナとを備えることを特徴とする無線通信機器。
【発明の詳細な説明】
【技術分野】
【０００１】
バンドパスフィルタならびにそれを用いた無線通信モジュールおよび無線通信機器に関するものであり、特にＵＷＢ（Ultra Wide Band）に好適に使用可能な非常に広い通過帯域を有するバンドパスフィルタならびにそれを用いた無線通信モジュールおよび無線通信機器に関するものである。
【背景技術】
【０００２】
近年、新しい通信手段としてＵＷＢが着目されている。ＵＷＢは10ｍ程度の短い距離において広い周波数帯域を使用して大容量のデータ転送を実現するものであり、例えば米国ＦＣＣ（Federal Communication Commission）の規定によると3.1〜10.6ＧＨｚの周波数帯域を使用する計画となっている。このようにＵＷＢの特徴は非常に広い周波数帯域を用いることである。
【０００３】
このようなＵＷＢに使用可能な超広帯域のフィルタに関する研究は近年盛んに行なわれており、例えば、方向性結合器の原理を応用したバンドパスフィルタによって、通過帯域幅が比帯域（帯域幅／中心周波数）で100％を超える広帯域な特性が得られたとの報告がある（例えば、非特許文献１を参照。）。
【０００４】
一方、従来よく使用されるフィルタとして、複数の１／４波長ストリップライン共振器を併設して相互に結合させて構成したバンドパスフィルタが知られている（例えば、特許文献１を参照。）。
【非特許文献１】「マイクロストリップ−ＣＰＷブロードサイド結合構造を用いた超広帯域バンドパスフィルタ」2005年３月電子情報通信学会総合大会講演論文集  C-2-114 p.147
【特許文献１】特開2004−180032号公報
【発明の開示】
【発明が解決しようとする課題】
【０００５】
しかしながら、非特許文献１および特許文献１にて提案されたバンドパスフィルタはそれぞれ問題点を有しており、ＵＷＢ用のバンドパスフィルタには適さないものであった。
【０００６】
例えば、非特許文献１にて提案されたバンドパスフィルタは通過帯域幅が広すぎるという問題があった。すなわち、ＵＷＢは基本的には3.1ＧＨｚ〜10.6ＧＨｚの周波数帯域を使用するが、国際電気通信連合無線通信部門では、ＩＥＥＥ802.11.aで使用する5.3ＧＨｚを避ける形で3.1〜4.7ＧＨｚ程度の帯域を使用するLow Band（ローバンド）と６ＧＨｚ〜10.6ＧＨｚ程度の帯域を使用するHigh Band（ハイバンド）とに分割した企画が立案されており、日本では当初Low Bandを使用する計画になっている。よって、これに使用されるフィルタには比帯域で40％程度の通過帯域幅と5.3ＧＨｚにおける減衰が同時に要求されるため、通過帯域幅が比帯域で100％を超えるような特性を有する非特許文献１にて提案されたバンドパスフィルタは通過帯域幅が広すぎて使えないものであった。
【０００７】
また、従来の１／４波長共振器を使用したバンドパスフィルタの通過帯域幅は狭すぎ、広帯域化を図った特許文献１に記載のバンドパスフィルタの通過帯域幅であっても比帯域で10％にも満たないものであった。よって、比帯域で40％に相当する広い通過帯域幅を要求されるＵＷＢ用のバンドパスフィルタとして使えるものではなかった。
【０００８】
さらに、ＵＷＢのLow Band用のバンドパスフィルタにはＩＥＥＥ802.11.aで使用する5.3ＧＨｚおよびＵＷＢのHigh Bandで使用する６ＧＨｚ〜10.6ＧＨｚにおける減衰が要求されるため、通過帯域よりも高周波側の特に通過帯域近傍の周波数領域において充分な減衰量が確保されていることが必要であった。
【０００９】
本発明はこのような従来の技術における問題点に鑑みて案出されたものであり、その目的は、超広帯域でＵＷＢのLow Band用のバンドパスフィルタとして適度な通過帯域幅および通過帯域近傍の高周波側おける充分な減衰量を有するバンドパスフィルタならびにそれを用いた無線通信モジュールおよび無線通信機器を提供することにある。
【課題を解決するための手段】
【００１０】
本発明のバンドパスフィルタは、複数の誘電体層が積層されてなる積層体と、該積層体の下面に配置された、アース電位に接続される第１のアース電極と、前記積層体の上面に配置された、アース電位に接続される第２のアース電極と、前記積層体の一つの層間に一方端と他方端とが互い違いになるように横並びに配置された、それぞれ前記一方端がアース電位に接続されて１／４波長共振器として機能するとともに相互に電磁界結合する帯状の複数の共振電極と、前記一つの層間に前記複数の共振電極の周囲を取り囲む環状に形成され、前記複数の共振電極の前記一方端が接続された、アース電位に接続される環状アース電極と、前記積層体の前記一つの層間とは異なる層間に配置された、前記複数の共振電極のうち入力段の共振電極の半分以上に渡る領域と対向して電磁界結合するとともに、外部回路からの電気信号が入力される電気信号入力点を有する帯状の入力結合電極と、前記積層体の前記一つの層間とは異なる層間に配置された、前記複数の共振電極のうち出力段の共振電極の半分以上に渡る領域と対向して電磁界結合するとともに、外部回路へ向けて電気信号が出力される電気信号出力点を有する帯状の出力結合電極とを備えるバンドパスフィルタであって、前記入力結合電極は、その前記電気信号入力点が前記入力段の共振電極との対向部における長さ方向の中央よりも前記入力段の共振電極の前記他方端に近い側に位置しており、前記出力結合電極は、その前記電気信号出力点が前記出力段の共振電極との対向部における長さ方向の中央よりも前記出力段の共振電極の前記他方端に近い側に位置しており、前記入力結合電極または前記出力結合電極の少なくとも一方は、長さ方向における前記電気信号入力点または前記電気信号出力点と反対側の一方端部が、対向する前記入力段の共振電極または前記出力段の共振電極の前記一方端を越えて前記環状アース電極と対向するように延長されていることを特徴とするものである。
【００１１】
また、本発明のバンドパスフィルタは、上記構成において、前記積層体の前記入力結合電極または前記出力結合電極の少なくとも一方が配置された層間に対して前記一つの層間と反対側に位置する層間に、前記入力結合電極または前記出力結合電極の少なくとも一方の前記一方端部と対向するように配置された補助アース電極を備えることを特徴とするものである。
【００１２】
さらに、本発明のバンドパスフィルタは、上記各構成において、前記入力結合電極または前記出力結合電極の少なくとも一方の前記一方端部は、対向する前記入力段の共振電極または前記出力段の共振電極の前記一方端を越えて前記環状アース電極と対向するように延長されて前記環状アース電極に沿って折り曲げられていることを特徴とするものである。
【００１３】
またさらに、本発明のバンドパスフィルタは、上記構成において、前記入力結合電極および前記出力結合電極の前記一方端部は、対向する前記入力段の共振電極または前記出力段の共振電極の前記一方端を越えて前記環状アース電極と対向するように延長されて前記環状アース電極に沿って折り曲げられており、且つ前記入力結合電極および前記出力結合電極の電気長が互いに異なっていることを特徴とするものである。
【００１４】
さらにまた、本発明のバンドパスフィルタは、上記構成において、前記入力結合電極および前記出力結合電極の前記一方端部は、対向する前記入力段の共振電極または前記出力段の共振電極の前記一方端を越えて前記環状アース電極と対向するように延長されて互いに遠ざかるように折り曲げられていることを特徴とするものである。
【００１５】
またさらに、本発明のバンドパスフィルタは、上記各構成において、前記積層体の前記一つの層間とは異なる層間に前記環状アース電極に対向する領域と前記共振電極に対向する領域とを有するように配置され、前記共振電極に対向する領域が前記共振電極との間に位置する前記誘電体層を貫通する第１の貫通導体によって前記共振電極の前記他方端側に接続された補助共振電極が、前記複数の共振電極の各々に対応して配置されていることを特徴とするものである。
【００１６】
さらにまた、本発明のバンドパスフィルタは、上記構成において、前記積層体の前記一つの層間とは異なる層間とさらに異なる層間に前記複数の補助共振電極のうち前記入力段の共振電極に接続された補助共振電極に対向する領域と前記入力結合電極に対向する領域とを有するように配置され、前記入力結合電極に対向する領域が前記入力結合電極との間に位置する前記誘電体層を貫通する第２の貫通導体によって前記入力結合電極の前記入力段の共振電極との対向部における長さ方向の中央よりも前記入力段の共振電極の前記他方端に近い側に接続された補助入力結合電極と、前記積層体の前記一つの層間とは異なる層間とさらに異なる層間に前記複数の補助共振電極のうち前記出力段の共振電極に接続された補助共振電極に対向する領域と前記出力結合電極に対向する領域とを有するように配置され、前記出力結合電極に対向する領域が前記出力結合電極との間に位置する前記誘電体層を貫通する第３の貫通導体によって前記出力結合電極の前記出力段の共振電極との対向部における長さ方向の中央よりも前記出力段の共振電極の前記他方端に近い側に接続された補助出力結合電極とを備えることを特徴とするものである。
【００１７】
本発明の無線通信モジュールは、上記各構成のいずれかの本発明のバンドパスフィルタを備えることを特徴とするものである。
【００１８】
本発明の無線通信機器は、上記各構成のいずれかの本発明のバンドパスフィルタを含むＲＦ部と、該ＲＦ部に接続されたベースバンド部と、前記ＲＦ部に接続されたアンテナとを備えることを特徴とするものである。
【発明の効果】
【００１９】
本発明のバンドパスフィルタは、一方端がアース電位に接続されて１／４波長共振器として機能する帯状の複数の共振電極が積層体の一つの層間に相互に電磁界結合するように横並びに、且つ複数の共振電極のそれぞれの一方端と他方端とが互い違いに配置されている。複数の共振電極のそれぞれの一方端と他方端とが互い違いに配置されていることから、複数の共振電極がインターデジタル型に結合するので、磁界による結合と電界による結合とが加算され、コムライン型の結合と比較してより強い結合が生じる。これにより、それぞれの共振モードにおける共振周波数の間の周波数間隔を、従来の１／４波長共振器を利用したフィルタで実現可能だった領域を遙かに超えた、ＵＷＢ用のバンドパスフィルタとして好適な比帯域で40％程度という広い通過帯域幅を得るのに適度なものとしている。
【００２０】
その上で、本発明のバンドパスフィルタによれば、入力結合電極は、積層体の複数の共振電極が配置された層間とは異なる層間に配置されて、入力段の共振電極の長さ方向の半分以上に渡る領域と対向して電磁界結合するとともに、外部回路からの電気信号が入力される電気信号入力点が入力段の共振電極との対向部における長さ方向の中央よりも入力段の共振電極の他方端に近い側に位置しており、出力結合電極は、積層体の複数の共振電極が配置された層間とは異なる層間に配置されて、出力段の共振電極の長さ方向の半分以上に渡る領域と対向して電磁界結合するとともに、外部回路へ向けて電気信号が出力される電気信号出力点が出力段の共振電極との対向部における長さ方向の中央よりも出力段の共振電極の他方端に近い側に位置している。この構成により、入力結合電極と入力段の共振電極とは、誘電体層を介してブロードサイド結合により強く電磁界結合するとともに、インターデジタル型に結合するために、前述した共振電極同士の場合と同様に、磁界による結合と電界による結合とが加算されてさらに強く電磁界結合する。同様に、出力結合電極と出力段の共振電極とは、誘電体層を介してブロードサイド結合により強く電磁界結合するとともに、インターデジタル型に結合するために、磁界による結合と電界による結合とが加算されてさらに強く電磁界結合する。これにより、従来の１／４波長共振器を利用したフィルタで実現可能だった領域を遙かに超えた広い通過帯域であっても、それぞれの共振モードの共振周波数の間に位置する周波数における挿入損失が大きく増加することのない、広い通過帯域の全域に渡って平坦で低損失な通過特性を有するバンドパスフィルタを得ることができる。
【００２１】
また、本発明のバンドパスフィルタによれば、複数の共振電極が配置された層間に複数の共振電極の周囲を取り囲む環状に形成され、複数の共振電極の一方端が接続された、アース電位に接続される環状アース電極が配置されているので、共振電極の長さ方向の両側にアース電位に接続される電極が存在することになるため、互い違いに配置された各々の共振電極の一方端を容易にアース電位に接続することができる。
【００２２】
さらに、本発明のバンドパスフィルタによれば、入力結合電極または出力結合電極の少なくとも一方は、長さ方向における電気信号入力点または電気信号出力点と反対側の一方端部が、対向する入力段の共振電極または出力段の共振電極の一方端を越えて環状アース電極と対向するように延長されていることから、単純に長さが長くなることによる効果に加えて、アースとの間に静電容量が形成される効果が加算されて電気長が非常に長くなるので、１／２波長共振器として動作するときの共振周波数が低くなる。これにより、通過帯域近傍の高周波側に、入力結合電極または出力結合電極の少なくとも一方の１／２波長共振による減衰極を形成することが可能になり、通過帯域近傍の高周波側における減衰量を大きくすることができる。
【００２３】
またさらに、本発明のバンドパスフィルタによれば、積層体の入力結合電極または出力結合電極の少なくとも一方が配置された層間に対して複数の共振電極が配置された層間と反対側に位置する層間に、入力結合電極または出力結合電極の少なくとも一方の一方端部と対向するように配置された補助アース電極を備えることから、入力結合電極または出力結合電極の少なくとも一方の一方端部とアースとの間に形成される静電容量をさらに大きくすることができるので、入力結合電極または出力結合電極の少なくとも一方の電気長をさらに長くすることが可能となり、１／２波長共振の共振周波数をさらに下げることができる。これにより、通過帯域よりも高周波側におけるさらに通過帯域に近いところに入力結合電極または出力結合電極の少なくとも一方の１／２波長共振による減衰極を形成して、その部分の減衰量を大きくすることができる。
【００２４】
さらにまた、本発明のバンドパスフィルタによれば、入力結合電極または出力結合電極の少なくとも一方の一方端部は、対向する入力段の共振電極または出力段の共振電極の一方端を越えて環状アース電極と対向するように延長されて環状アース電極に沿って折り曲げられていることから、バンドパスフィルタの共振電極の長さ方向の寸法を小さくすることができるので、小型のバンドパスフィルタを得ることができる。
【００２５】
またさらに、本発明のバンドパスフィルタによれば、入力結合電極および出力結合電極の一方端部は、対向する入力段の共振電極または出力段の共振電極の一方端を越えて環状アース電極と対向するように延長されて環状アース電極に沿って折り曲げられており、且つ入力結合電極および出力結合電極の電気長が互いに異なっていることから、入力結合電極および出力結合電極の両方の１／２波長共振の周波数を低くして、且つ入力結合電極および出力結合電極の１／２波長共振の周波数を互いに異ならせることができる。これにより、通過帯域近傍の高周波側に入力結合電極および出力結合電極の１／２波長共振による２つの減衰極を形成することが可能になり、通過帯域近傍の高周波側の広い周波数範囲において充分な減衰量を確保することができる。
【００２６】
さらにまた、本発明のバンドパスフィルタによれば、入力結合電極および出力結合電極の一方端部は、対向する入力段の共振電極または出力段の共振電極の一方端を越えて環状アース電極と対向するように延長されて互いに遠ざかるように折り曲げられていることから、入力結合電極および出力結合電極の一方端部同士の電磁気的な結合を小さくすることができるので、入力結合電極および出力結合電極の一方端部同士が電磁界結合することによって通過帯域外の減衰量が低下するのを防止することができる。
【００２７】
またさらに、本発明のバンドパスフィルタによれば、環状アース電極に対向する領域を有するように配置されて第１の貫通導体によって共振電極に接続された補助共振電極が、複数の共振電極の各々に対応して配置されているときには、各々の補助共振電極と環状アース電極との対向部において両者の間に静電容量が生じるので、各々の共振電極の長さを短縮することができ、小型のバンドパスフィルタを得ることができる。
【００２８】
さらにまた、本発明のバンドパスフィルタによれば、入力段の共振電極に接続された補助共振電極に対向する領域を有するように配置され、入力結合電極に接続された補助入力結合電極と、出力段の共振電極に接続された補助共振電極に対向する領域を有するように配置され、出力結合電極に接続された補助出力結合電極とを備えているときには、入力段の共振電極に接続された補助共振電極と補助入力結合電極との間に電磁界結合が生じて、入力段の共振電極と入力結合電極との間の電磁界結合に加算され、同様に、出力段の共振電極に接続された補助共振電極と補助出力結合電極との間に電磁界結合が生じ、出力段の共振電極と出力結合電極との間の電磁界結合に加算される。これらによって、入力結合電極と入力段の共振電極との間の電磁界結合、および出力結合電極と出力段の共振電極との間の電磁界結合がさらに強まるので、非常に広い通過帯域幅であっても、それぞれの共振モードの共振周波数の間に位置する周波数における挿入損失の増加がさらに低減された、広い通過帯域の全域に渡ってより平坦でより低損失な通過特性を有するバンドパスフィルタを得ることができる。
【００２９】
またさらに、本発明のバンドパスフィルタによれば、補助入力結合電極が第２の貫通導体によって入力結合電極の入力段の共振電極との対向部における長さ方向の中央よりも入力段の共振電極の他方端に近い側に接続され、同様に、補助出力結合電極が第３の貫通導体によって出力結合電極の出力段の共振電極との対向部における長さ方向の中央よりも出力段の共振電極の他方端に近い側に接続されるときには、外部回路からの電気信号が補助入力結合電極を介して入力結合電極に入力され、電気信号が出力結合電極から補助出力結合電極を介して外部回路へ出力される場合においても、入力結合電極と入力段の共振電極とがインターデジタル型に結合され、出力結合電極と出力段の共振電極とがインターデジタル型に結合されることになり、磁界による結合と電界による結合とが加算された強い結合を生じさせることができる。
【００３０】
本発明の無線通信モジュールおよび本発明の無線通信機器によれば、通信帯域の全域に渡って通過する信号の損失が小さい本発明のバンドパスフィルタを送信信号および受信信号の濾波に用いることにより、バンドパスフィルタを通過する受信信号および送信信号の減衰が少なくなるため、受信感度が向上し、また、送信信号および受信信号の増幅度を小さくできるため増幅回路における消費電力が少なくなる。よって受信感度が高く消費電力が少ない高性能な無線通信モジュールおよび無線通信機器を得ることができる。
【発明を実施するための最良の形態】
【００３１】
以下、本発明のバンドパスフィルタならびにそれを用いた無線通信モジュールおよび無線通信機器を添付の図面を参照しつつ詳細に説明する。
【００３２】
（実施の形態の第１の例）
図１は本発明のバンドパスフィルタの実施の形態の一例を模式的に示す外観斜視図である。図２は図１に示すバンドパスフィルタの模式的な分解斜視図である。図３は図１に示すバンドパスフィルタの上下面および層間を模式的に示す平面図である。図４は図１のＸ−Ｘ’線断面図である。
【００３３】
本例のバンドパスフィルタは、図１〜図４に示すように、複数の誘電体層11が積層されてなる積層体10と、積層体10の下面に配置された、アース電位に接続される第１のアース電極21と、積層体10の上面に配置された、アース電位に接続される第２のアース電極22と、積層体10の層間Ａに一方端と他方端とが互い違いになるように横並びに配置された、それぞれ一方端がアース電位に接続されて１／４波長共振器として機能するとともに相互に電磁界結合する帯状の複数の共振電極30ａ，30複数の共振電極30ａ，30ｂ，30ｃのうち入力段の共振電極30ａの半分以上に渡る領域と対向して電磁界結合するとともに、外部回路からの電気信号が入力される電気信号入力点45ａを有する帯状の入力結合電極40ａと、ｂ，30ｃと、積層体10の層間Ａとは異なる層間Ｂに配置された、積層体10の層間Ａとは異なる層間Ｂに配置された、複数の共振電極30ａ，30ｂ，30ｃのうち出力段の共振電極30ｂの半分以上に渡る領域と対向して電磁界結合するとともに、外部回路へ向けて電気信号が出力される電気信号出力点45ｂを有する帯状の出力結合電極40ｂと、層間Ａに複数の共振電極30ａ，30ｂ，30ｃの周囲を取り囲む環状に形成され、複数の共振電極30ａ，30ｂ，30ｃの一方端が接続された、アース電位に接続される環状アース電極23とを備えるバンドパスフィルタであって、入力結合電極40ａは、その電気信号入力点45ａが入力段の共振電極30ａとの対向部における長さ方向の中央よりも入力段の共振電極30ａの他方端に近い側に位置しており、出力結合電極40ｂは、その電気信号出力点45ｂが出力段の共振電極30ｂとの対向部における長さ方向の中央よりも出力段の共振電極30ｂの他方端に近い側に位置しており、出力結合電極40ｂは、長さ方向における電気信号出力点45ｂと反対側の一方端部が、対向する出力段の共振電極30ｂの一方端を越えて環状アース電極23と対向するように延長されている。
【００３４】
また、本例のバンドパスフィルタは、積層体10の上面に第２のアース電極22と隔離して入力端子電極60ａおよび出力端子電極60ｂが配置されている。そして、入力端子電極60ａは誘電体層11を貫通する第４の貫通導体53ａによって、入力結合電極40ａの電気信号入力点45ａに接続されており、出力端子電極60ｂは、誘電体層11を貫通する第５の貫通導体53ｂを介して出力結合電極40ｂの電気信号出力点45ｂに接続されている。
【００３５】
このような構成を備える本例のバンドパスフィルタにおいては、入力端子電極60ａおよび第４の貫通導体53ａを介して入力結合電極40ａの電気信号入力点45ａに外部回路からの電気信号が入力されて、入力結合電極40ａと電磁界結合する入力段の共振電極30ａが励振される。そして、相互に電磁界結合する複数の共振電極30ａ，30ｂ，30ｃを介して、出力段の共振電極30ｂと電磁界結合する出力結合電極40ｂの電気信号出力点45ｂから第５の貫通導体53ｂおよび出力端子電極60ｂを介して外部回路へ電気信号が出力される。このとき、複数の共振電極30ａ，30ｂ，30ｃが共振する周波数の信号が選択的に通過するため、特定周波数の信号を通過させるバンドパスフィルタとして機能する。
【００３６】
第１のアース電極21は積層体10の下面の全面に配置されており、第２のアース電極22は積層体10の上面の入力端子電極60ａおよび出力端子電極60ｂの周囲を除いたほぼ全面に配置されており、どちらもアース電位に接続されて、共振電極30ａ，30ｂ，30ｃと共にストリップライン共振器を構成している。
【００３７】
帯状の共振電極30ａ，30ｂ，30ｃは、第１のアース電極21および第２のアース電極22と共にストリップライン共振器を構成しており、それぞれ一方端が環状アース電極23に接続されてアース電位に接続されることによって１／４波長共振器として機能する。それぞれの電気長はバンドパスフィルタの中心周波数における波長の１／４程度に設定される。
【００３８】
また、共振電極30ａ，30ｂ，30ｃは、積層体10の層間Ａに横並びに配置されて相互にエッジ結合している。共振電極30ａ，30ｂ，30ｃ同士の間隔は小さい方が強い結合が得られるが間隔を小さくすると製造が困難になるので、例えば、0.05〜0.5ｍｍ程度に設定される。さらに、共振電極30ａ，30ｂ，30ｃは、それぞれの一方端と他方端とが互い違いに配置されて相互にインターデジタル型に結合しており、電界による結合と磁界による結合とが加算されて、コムライン型に結合する場合と比較して強く結合している。このように共振電極30ａ，30ｂ，30ｃを相互にエッジ結合し、且つインターデジタル型に結合することによって、それぞれの共振モードにおける共振周波数の間の周波数間隔を、従来の１／４波長共振器を利用したフィルタで実現可能だった領域を遙かに超えた、ＵＷＢ用のバンドパスフィルタとして好適な比帯域で40％程度という広い通過帯域幅を得るのに適度なものとしている。
【００３９】
なお、共振電極30ａ，30ｂ，30ｃをインターデジタル型に結合させ、且つ相互にブロードサイド結合させると、今度は結合が強くなりすぎて、比帯域で40％程度の通過帯域幅を実現するためには好ましくないことが検討によって分かった。
【００４０】
環状アース電極23は、積層体10の層間Ａに共振電極30ａ，30ｂ，30ｃの周囲を取り囲む環状に形成されており、共振電極30ａ，30ｂ，30ｃの一方端に接続されている。そして、自身がアース電位に接続されることにより、共振電極30ａ，30ｂ，30ｃの一方端をアース電位に接続する機能を有する。環状アース電極23の存在によって、モジュール基板の中の一部の領域にバンドパスフィルタが形成されるような場合においても、インターデジタルに配置された共振電極30ａ，30ｂ，30ｃの一方端を容易にアース電極に接続することができる。また、環状アース電極23が共振電極30ａ，30ｂ，30ｃの周囲を環状に取り囲むことによって、共振電極30ａ，30ｂ，30ｃから発生する電磁波の周囲への漏洩を低減することができる。この効果はモジュール基板の中の一部の領域にバンドパスフィルタが形成される場合に、モジュール基板の他の領域への悪影響を防止する上で特に有用である。
【００４１】
帯状の入力結合電極40ａは、共振電極30ａ，30ｂ，30ｃが配置された層間Ａとは異なる層間Ｂに、その全体が入力段の共振電極30ａと対向して電磁界結合するように配置されており、入力段の共振電極30ａの長さ方向の半分以上に渡る領域に対向している。よって、入力結合電極40ａと入力段の共振電極30ａとはブロードサイド結合しており、エッジ結合する場合と比較して強く結合している。また、帯状の入力結合電極40ａは入力端子電極60ａと第４の貫通導体53ａによって接続されており、入力結合電極40ａと第４の貫通導体53ａとの接続点が入力結合電極40ａの電気信号入力点45ａとなる。この電気信号入力点45ａは入力結合電極40ａの入力段の共振電極30ａとの対向部における長さ方向の中央よりも入力段の共振電極30ａの他方端に近い側の端部に位置しており、反対側の端部は開放端とされている。そして、外部回路から入力される電気信号は、この電気信号入力点45ａから入力結合電極40ａに供給される。これによって、入力結合電極40ａと入力段の共振電極30ａとはインターデジタル型に結合しており、磁界による結合と電界による結合とが加算されて、コムライン型に結合する場合や単に容量結合する場合と比較してより強く結合している。このように、入力結合電極40ａは、その全体に渡って入力段の共振電極30ａとブロードサイド結合しており、且つインターデジタル型に結合しているので、入力段の共振電極30ａと非常に強く結合している。
【００４２】
同様に、帯状の出力結合電極40ｂは、共振電極30ａ，30ｂ，30ｃが配置された層間Ａとは異なる層間Ｂに、その全体が出力段の共振電極30ｂと対向して電磁界結合するように配置されており、出力段の共振電極30ｂの長さ方向の半分以上に渡る領域に対向している。よって、出力結合電極40ｂと出力段の共振電極30ｂとはブロードサイド結合しており、エッジ結合する場合と比較して強く結合している。また、帯状の出力結合電極40ｂは出力端子電極60ｂと第５の貫通導体53ｂによって接続されており、出力結合電極40ｂと第５の貫通導体53ｂとの接続点が出力結合電極40ｂの電気信号出力点45ｂになる。この電気信号出力点45ｂは出力結合電極40ｂの出力段の共振電極30ｂとの対向部における長さ方向の中央よりも出力段の共振電極30ｂの他方端に近い側の端部に位置しており、反対側の端部は開放端とされている。そして、出力結合電極40ｂの電気信号出力点45ｂから第５の貫通導体53ｂおよび出力端子電極60ｂを介して外部回路へ向けて電気信号が出力される。これによって、出力結合電極40ｂと出力段の共振電極30ｂとはインターデジタル型に結合しており、磁界による結合と電界による結合とが加算されて、コムライン型に結合する場合や単に容量結合する場合と比較してより強く結合している。このように、出力結合電極40ｂは、その全体に渡って出力段の共振電極30ｂとブロードサイド結合しており、且つインターデジタル型に結合しているので、出力段の共振電極30ｂと非常に強く結合している。
【００４３】
このように入力結合電極40ａと入力段の共振電極30ａとが非常に強く結合し、出力結合電極40ｂと出力段の共振電極30ｂとが非常に強く結合しているので、従来の１／４波長共振器を利用したフィルタで実現可能だった領域を遙かに超えた広い通過帯域であっても、それぞれの共振モードの共振周波数の間に位置する周波数における挿入損失が大きく増加することのない、広い通過帯域の全域に渡って平坦で低損失な通過特性を有するバンドパスフィルタを得ることができる。
【００４４】
また、出力結合電極40ｂは、長さ方向における電気信号出力点45ｂと反対側の一方端部が、対向する出力段の共振電極30ｂの一方端を越えて環状アース電極23と対向するように延長されていることから、単純に長さが長くなることによる効果に加えて、アースとの間に静電容量が形成される効果が加算されて電気長が非常に長くなるので、１／２波長共振器として動作するときの共振周波数が低くなる。これにより、通過帯域近傍の高周波側に、出力結合電極40ｂの１／２波長共振による減衰極を形成することが可能になり、通過帯域近傍の高周波側における減衰量を大きくすることができる。
【００４５】
さらに、出力結合電極40ｂの一方端部は、対向する出力段の共振電極30ｂの一方端を越えて環状アース電極23と対向するように延長されて環状アース電極23に沿って折り曲げられていることから、出力結合電極40ｂを折り曲げない場合と比較して、複数の共振電極30ａ，30ｂ，30ｃの長さ方向におけるバンドパスフィルタの寸法を小さくすることができるので、小型のバンドパスフィルタを得ることができる。
【００４６】
なお、入力結合電極40ａおよび出力結合電極40ｂの形状寸法は入力段の共振電極30ａおよび出力段の共振電極30ｂと同程度に設定されるのが好ましい。入力結合電極40ａと入力段の共振電極30ａとの間隔、および出力結合電極40ｂと出力段の共振電極30ｂとの間隔については、小さくすると結合は強くなるが製造上は難しくなるので、例えば、0.01〜0.5ｍｍ程度に設定される。
【００４７】
このようにして、本例のバンドパスフィルタによれば、従来の１／４波長共振器を利用したフィルタで実現可能だった領域を遙かに超えた比帯域で40％という非常に広い通過帯域の全域に渡って平坦で低損失な通過特性を有し、且つ通過帯域近傍の高周波側において充分な減衰量が確保された、高性能でＵＷＢ用フィルタとして好適に使用可能なバンドパスフィルタを得ることができる。
【００４８】
（実施の形態の第２の例）
図５は本発明のバンドパスフィルタの実施の形態の他の例を模式的に示す外観斜視図である。図６は図５に示すバンドパスフィルタの模式的な分解斜視図である。図７は図５に示すバンドパスフィルタの上下面および層間を模式的に示す平面図である。図８は図５のＹ−Ｙ’線断面図である。なお、本例においては前述した第１の例と異なる点のみについて説明し、同様の構成要素については同一の参照符号を用いて重複する説明を省略する。
【００４９】
本例のバンドパスフィルタは、積層体10の出力結合電極40ｂが配置された層間Ｂに対して層間Ａと反対側に位置する層間Ｃに、出力結合電極40ｂの一方端部と対向するように配置された補助アース電極24を備えている。
【００５０】
本例のバンドパスフィルタによれば、出力結合電極40ｂの一方端部と補助アース電極24との間に静電容量が形成されて、出力結合電極40ｂの一方端部とアースとの間に形成される静電容量をさらに大きくすることができるので、出力結合電極40ｂの電気長をさらに長くすることが可能となり、出力結合電極40ｂの１／２波長共振が生じる周波数をさらに低くすることができる。これにより、通過帯域よりも高周波側におけるさらに通過帯域に近いところに出力結合電極40ｂの１／２波長共振による減衰極を形成して、その部分の減衰量を大きくすることができる。
【００５１】
なお、補助アース電極24は、環状アース電極23と対向する領域のみに形成した場合には、複数の共振電極30ａ，30ｂ，30ｃとの間に不要な静電容量が発生することによる電気特性の悪化を抑制することができる。また、積層体10を貫通する第６の貫通導体54を介して補助アース電極24を環状アース電極23に接続した場合には、補助アース電極24を容易にアース電位に接続することができる。
【００５２】
（実施の形態の第３の例）
図９は本発明のバンドパスフィルタの実施の形態のさらに他の例を模式的に示す外観斜視図である。図10は図９に示すバンドパスフィルタの模式的な分解斜視図である。図11は図９に示すバンドパスフィルタの上下面および層間を模式的に示す平面図である。図12は図９のＺ−Ｚ’線断面図である。なお、本例においては前述した例と異なる点のみについて説明し、同様の構成要素については同一の参照符号を用いて重複する説明を省略する。
【００５３】
本例のバンドパスフィルタは、入力結合電極40ａおよび出力結合電極40ｂの一方端部は、対向する入力段の共振電極30ａまたは出力段の共振電極30ｂの一方端を越えて環状アース電極23と対向するように延長されて互いに遠ざかるように折り曲げられている。
【００５４】
また、本例のバンドパスフィルタは、積層体10の層間Ａとは異なる層間Ｂに環状アース電極23に対向する領域と共振電極30ａ，30ｂ，30ｃに対向する領域とを有するように配置され、共振電極30ａ，30ｂ，30ｃに対向する領域が共振電極30ａ，30ｂ，30ｃとの間に位置する誘電体層11を貫通する第１の貫通導体51ａ，51ｂ，51ｃによって共振電極30ａ，30ｂ，30ｃの他方端側に接続された補助共振電極31ａ，31ｂ，31ｃが、複数の共振電極30ａ，30ｂ，30ｃの各々に対応して配置されている。
【００５５】
さらに、本例のバンドパスフィルタは、積層体10の層間Ａとは異なる層間Ｂとさらに異なる層間Ｃに複数の補助共振電極31ａ，31ｂ，31ｃのうち入力段の共振電極30ａに接続された補助共振電極31ａに対向する領域と入力結合電極40ａに対向する領域とを有するように配置され、入力結合電極40ａに対向する領域が入力結合電極40ａとの間に位置する誘電体層11を貫通する第２の貫通導体52ａによって入力結合電極40ａの入力段の共振電極30ａとの対向部における長さ方向の中央よりも入力段の共振電極30ａの他方端に近い側に接続された補助入力結合電極41ａと、積層体10の層間Ａとは異なる層間Ｂとさらに異なる層間Ｃに複数の補助共振電極31ａ，31ｂ，31ｃのうち出力段の共振電極30ｂに接続された補助共振電極31ｂに対向する領域と出力結合電極40ｂに対向する領域とを有するように配置され、出力結合電極40ｂに対向する領域が出力結合電極40ｂとの間に位置する誘電体層11を貫通する第３の貫通導体52ｂによって出力結合電極40ｂの出力段の共振電極30ｂとの対向部における長さ方向の中央よりも出力段の共振電極30ｂの他方端に近い側に接続された補助出力結合電極41ｂとを備えている。
【００５６】
本例のバンドパスフィルタによれば、入力結合電極40ａおよび出力結合電極40ｂの両方の一方端部が、対向する入力段の共振電極30ａまたは出力段の共振電極30ｂの一方端を越えて環状アース電極23と対向するように延長されていることから、入力結合電極40ａおよび出力結合電極40ｂの両方の電気長が長くなるので、入力結合電極40ａおよび出力結合電極40ｂの両方の１／２波長共振器として動作するときの共振周波数が低くなる。これにより、通過帯域近傍の高周波側に、入力結合電極40ａの１／２波長共振による減衰極と出力結合電極40ｂの１／２波長共振による減衰極の両方を形成することが可能となり、通過帯域近傍の高周波側の減衰量をさらに大きくすることができる。
【００５７】
また、本例のバンドパスフィルタによれば、入力結合電極40ａおよび出力結合電極40ｂの一方端部が互いに遠ざかるように折り曲げられていることから、入力結合電極40ａの一方端部と出力結合電極40ｂの一方端部との間の電磁界による結合の増加を防止することができるので、通過帯域外における減衰量の悪化を防止することができる。
【００５８】
さらに、本例のバンドパスフィルタによれば、積層体10の入力結合電極40ａおよび出力結合電極40ｂが配置された層間Ｂに対して層間Ａと反対側に位置する層間Ｃに、入力結合電極40ａおよび出力結合電極40ｂの一方端部と対向するように配置された補助アース電極24を備えていることから、入力結合電極40ａおよび出力結合電極40ｂの一方端部と補助アース電極24との間に静電容量が形成されて、入力結合電極40ａおよび出力結合電極40ｂの一方端部とアースとの間に形成される静電容量をさらに大きくすることができるので、入力結合電極40ａおよび出力結合電極40ｂの電気長をさらに長くすることが可能となり、入力結合電極40ａおよび出力結合電極40ｂの１／２波長共振が生じる周波数をさらに下げることができる。これにより、通過帯域よりも高周波側におけるさらに通過帯域に近いところに入力結合電極40ａおよび出力結合電極40ｂの１／２波長共振による減衰極を形成して、その部分の減衰量を大きくすることができる。
【００５９】
またさらに、本例のバンドパスフィルタによれば、入力結合電極40ａの電気長と出力結合電極40ｂの電気長とが等しいことから、入力結合電極40ａの１／２波長共振による減衰極が発生する周波数と出力結合電極40ｂの１／２波長共振による減衰極が発生する周波数とが一致して２つの減衰極が一つになるので、２つの減衰極が別の周波数に形成される場合と比較して、減衰極が形成された周波数における減衰量を大きくすることができる。これにより、特定周波数において大きな減衰量を確保することが可能となる。
【００６０】
補助共振電極31ａ，31ｂ，31ｃは、積層体10の層間Ｂに、それぞれ共振電極30ａ，30ｂ，30ｃに対向する領域と環状アース電極23に対向する領域とを有するように配置され、共振電極30ａ，30ｂ，30ｃに対向する領域が共振電極30ａ，30ｂ，30ｃとの間に位置する誘電体層11を貫通する第１の貫通導体51ａ，51ｂ，51ｃによって共振電極30ａ，30ｂ，30ｃの他方端側に接続されている。環状アース電極23に対向する領域において環状アース電極23との間に静電容量が発生し、これによって共振電極30ａ，30ｂ，30ｃの長さを短縮することができるため、より小型のバンドパスフィルタを得ることができる。
【００６１】
また、補助共振電極31ａ，31ｂ，31ｃはそれぞれ共振電極30ａ，30ｂ，30ｃの他方端部分に接続されて、そこから共振電極30ａ，30ｂ，30ｃの一方端と反対側に向かって延出されていることから、後に詳しく述べるように、入力段の共振電極30ａおよびそれに接続された補助共振電極31ａの接合体と、入力結合電極40ａおよびそれに接続された補助入力結合電極41ａの接合体とが、全体的にブロードサイド結合し、且つインターデジタル型に結合することによって非常に強く結合し、同様に、出力段の共振電極30ｂおよびそれに接続された補助共振電極31ｂの接合体と、出力結合電極40ｂおよびそれに接続された補助出力結合電極41ｂの接合体とが全体的にブロードサイド結合し、且つインターデジタル型に結合することによって非常に強く結合することを可能にしている。
【００６２】
補助共振電極31ａ，31ｂ，31ｃと環状アース電極23との対向部の面積は、必要な大きさと得られる静電容量との兼ね合いから、例えば、0.01〜３ｍｍ２程度に設定される。補助共振電極31ａ，31ｂ，31ｃと環状アース電極23との対向部の間隔は小さい方が大きな静電容量を生じさせることができるが製造上は難しくなるので、例えば、0.01〜0.5ｍｍ程度に設定される。
【００６３】
補助入力結合電極41ａは帯状であり、入力結合電極40ａおよび出力結合電極40ｂが配置された層間Ｂとは異なる層間Ｃに、入力段の共振電極30ａに接続された補助共振電極31ａに対向する領域と、入力結合電極40ａに対向する領域とを有するように配置され、入力結合電極40ａに対向する領域が入力結合電極40ａとの間に位置する誘電体層11を貫通する第２の貫通導体52ａによって入力結合電極40ａに接続されている。これによって、入力結合電極40ａに接続された補助入力結合電極41ａと、入力段の共振電極30ａに接続された補助共振電極31ａとがブロードサイド結合し、この結合が入力結合電極40ａと入力段の共振電極30ａとの間の結合に加算されるため、全体としてより強い結合となる。
【００６４】
さらに、補助入力結合電極41ａの長さ方向における第２の貫通導体52ａに接続された側と反対側の端部が第７の貫通導体55ａによって積層体10の上面に配置された入力端子電極60ａに接続されていることから、入力段の共振電極30ａおよびそれに接続された補助共振電極31ａの接合体と、入力結合電極40ａおよびそれに接続された補助入力結合電極41ａの接合体とが、全体的にインターデジタル型に結合することになるので、磁界による結合と電界による結合とが加算された強い結合となる。よって、補助入力結合電極41ａの長さ方向において、入力結合電極40ａに接続される側と同じ側で入力端子電極60ａに接続される場合と比較して、より強い結合を実現することができる。なお、本例のバンドパスフィルタにおいては、外部回路からの電気信号は入力端子電極60ａ，第７の貫通導体55ａ，補助入力結合電極41ａおよび第２の貫通導体52ａを介して入力結合電極40ａに入力されるため、入力結合電極40ａと第２の貫通導体52ａとの接続点が入力結合電極40ａの電気信号入力点45ａになっている。
【００６５】
補助出力結合電極41ｂは帯状であり、入力結合電極40ａおよび出力結合電極40ｂが配置された層間Ｂとは異なる層間Ｃに、出力段の共振電極30ｂに接続された補助共振電極31ｂに対向する領域と、出力結合電極40ｂに対向する領域とを有するように配置され、出力結合電極40ｂに対向する領域が出力結合電極40ｂとの間に位置する誘電体層11を貫通する第３の貫通導体52ｂによって出力結合電極40ｂに接続されている。これによって、出力結合電極40ｂに接続された補助出力結合電極41ｂと、出力段の共振電極30ｂに接続された補助共振電極31ｂとがブロードサイド結合し、この結合が出力結合電極40ｂと出力段の共振電極30ｂとの間の結合に加算されるため、全体としてより強い結合となる。
【００６６】
さらに、補助出力結合電極41ｂの長さ方向における第３の貫通導体52ｂに接続された側と反対側の端部が第８の貫通導体55ｂによって積層体10の上面に配置された出力端子電極60ｂに接続されていることから、出力段の共振電極30ｂおよびそれに接続された補助共振電極31ｂの接合体と、出力結合電極40ｂおよびそれに接続された補助出力結合電極41ｂの接合体とが、全体的にインターデジタル型に結合することになるので、磁界による結合と電界による結合とが加算された強い結合となる。よって、補助出力結合電極41ｂの長さ方向において、出力結合電極40ｂに接続される側と同じ側で出力端子電極60ｂに接続される場合と比較して、より強い結合を実現することができる。なお、本例のバンドパスフィルタにおいては、出力結合電極40ｂから第３の貫通導体52ｂ，補助出力結合電極41ｂ，第８の貫通導体55ｂおよび出力端子電極60ｂを介して外部回路へ電気信号が出力されるので、出力結合電極40ｂと第３の貫通導体52ｂとの接続点が出力結合電極40ｂの電気信号出力点45ｂになっている。
【００６７】
このように、入力段の共振電極30ａおよびそれに接続された補助共振電極31ａの接合体と、入力結合電極40ａおよびそれに接続された補助入力結合電極41ａの接合体とが、全体的にブロードサイド結合し、且つインターデジタル型に結合することによって非常に強く結合し、同様に、出力段の共振電極30ｂおよびそれに接続された補助共振電極31ｂの接合体と、出力結合電極40ｂおよびそれに接続された補助出力結合電極41ｂの接合体とが全体的にブロードサイド結合し、且つインターデジタル型に結合することによって非常に強く結合するので、非常に広い通過帯域であっても、それぞれの共振モードの共振周波数の間に位置する周波数における挿入損失の増加がさらに小さくなり、広い通過帯域の全域に渡ってより平坦でより低損失な通過特性を有するバンドパスフィルタを得ることができる。
【００６８】
なお、補助入力結合電極41ａおよび補助出力結合電極41ｂの幅は、例えば、入力結合電極40ａおよび出力結合電極40ｂと同程度に設定され、補助入力結合電極41ａおよび補助出力結合電極41ｂの長さは、例えば、補助共振電極31ａ，31ｂの長さよりも若干長めに設定される。補助入力結合電極41ａおよび補助出力結合電極41ｂと補助共振電極31ａ，31ｂとの間の間隔は、小さい方が強い結合を生じさせる点で望ましいが製造上は難しくなるので、例えば、0.01〜0.5ｍｍ程度に設定される。
【００６９】
本例のバンドパスフィルタによれば、前述した実施の形態の例のバンドパスフィルタと比較して、より小型で広帯域化が可能なバンドパスフィルタを得ることができる。
【００７０】
（実施の形態の第４の例）
図13は本発明のバンドパスフィルタを用いた無線通信モジュール80および無線通信機器85の構成例を示すブロック図である。
【００７１】
本発明の無線通信モジュール80は、例えば、ベースバンド信号が処理されるベースバンド部81と、ベースバンド部81に接続されベースバンド信号の変調後および復調前のＲＦ信号が処理されるＲＦ部82とを備えている。
【００７２】
ＲＦ部82には前述の本発明のバンドパスフィルタ821が含まれており、ベースバンド信号が変調されてなるＲＦ信号または受信したＲＦ信号における通信帯域以外の信号をバンドパスフィルタ821によって減衰させている。
【００７３】
具体的な構成としては、ベースバンド部81にはベースバンドＩＣ  811が配置され、ＲＦ部82にはバンドパスフィルタ821とベースバンド部81との間にＲＦ  ＩＣ  822が配置されている。なお、これらの回路間には別の回路が介在していてもよい。
【００７４】
そして、無線通信モジュール80のバンドパスフィルタ821にアンテナ84を接続することによってＲＦ信号の送受信がなされる本発明の無線通信機器85が構成される。
【００７５】
このような構成を有する本発明の無線通信モジュール80および無線通信機器85によれば、通信帯域の全域に渡って通過する信号の損失が小さい本発明のバンドパスフィルタ821を用いて送信信号および受信信号の濾波を行なうことから、通信帯域の全体に渡ってバンドパスフィルタ821を通過する送信信号および受信信号の減衰を少なくすることができるため、受信感度が向上するとともに、送信信号および受信信号の増幅度を小さくすることができるので、増幅回路における消費電力が少なくなる。よって、受信感度が高く消費電力が少ない高性能な無線通信モジュール80および無線通信機器85を得ることができる。
【００７６】
本発明のバンドパスフィルタにおいて、誘電体層11の材質としては、例えばエポキシ樹脂等の樹脂や例えば誘電体セラミックス等のセラミックスを用いることができる。例えば、ＢａＴｉＯ３，Ｐｂ４Ｆｅ２Ｎｂ２Ｏ１２，ＴｉＯ２等の誘電体セラミック材料と、Ｂ２Ｏ３，ＳｉＯ２，Ａｌ２Ｏ３，ＺｎＯ等のガラス材料とからなり、800〜1200℃程度の比較的低い温度で焼成が可能なガラス−セラミック材料が好適に用いられる。また、誘電体層11の厚みとしては、例えば0.01〜0.1ｍｍ程度に設定される。
【００７７】
前述した各種の電極および貫通導体の材質としては、例えば、Ａｇ，Ａｇ−Ｐｄ，Ａｇ−Ｐｔ等のＡｇ合金を主成分とする導電材料やＣｕ系，Ｗ系，Ｍｏ系，Ｐｄ系導電材料等が好適に用いられる。各種の電極の厚みは、例えば0.001〜0.2ｍｍに設定される。
【００７８】
本発明のバンドパスフィルタは、例えば次のようにして作製することができる。まず、セラミック原料粉末に適当な有機溶剤等を添加・混合して泥漿状にするとともに、ドクターブレード法によってセラミックグリーンシートを形成する。次に、得られたセラミックグリーンシートにパンチングマシーン等を用いて貫通導体となる貫通孔を形成し、Ａｇ，Ａｇ−Ｐｄ，Ａｕ，Ｃｕ等の導体ペーストを充填することで貫通導体を形成する。次に、セラミックグリーンシートに印刷法を用いて前述した各種の電極を形成する。次に、これらを積層し、ホットプレス装置を用いて圧着し、800℃〜1050℃程度のピーク温度で焼成することにより作製される。
【００７９】
（変形例）
本発明は前述した実施の形態の第１〜第４の例に限定されるものではなく、本発明の要旨を逸脱しない範囲において種々の変更，改良が可能である。
【００８０】
例えば、前述した実施の形態の第３の例のバンドパスフィルタでは、入力結合電極40ａおよび出力結合電極40ｂ電気長を等しくした例を示したが、入力結合電極40ａおよび出力結合電極40ｂの電気長を互いに異ならせても構わない。入力結合電極40ａおよび出力結合電極40ｂの電気長を互いに異ならせることにより、入力結合電極40ａの１／２波長共振による減衰極が発生する周波数および出力結合電極40ｂの１／２波長共振による減衰極が発生する周波数を両方とも低下させるとともに互いに異ならせることができるので、通過帯域近傍の高周波側に入力結合電極40ａの１／２波長共振による減衰極と出力結合電極40ｂの１／２波長共振による減衰極との２つの減衰極を発生させることができる。これにより、通過帯域近傍の高周波側において、広い周波数範囲に渡って大きな減衰量を確保することができる。
【００８１】
また、前述した実施の形態の例においては、入力端子電極60ａおよび出力端子電極60ｂを備えた例を示したが、モジュール基板の中の一領域にバンドパスフィルタが形成される場合は入力端子電極60ａおよび出力端子電極60ｂは必ずしも必要なく、モジュール基板内の外部回路からの配線導体が、入力結合電極40ａおよび出力結合電極40ｂに直接接続するようにしても構わない。この場合は、入力結合電極40ａおよび出力結合電極40ｂと配線導体との接続点が、入力結合電極40ａの電気信号入力点45ａおよび出力結合電極40ｂの電気信号出力点45ｂとなる。
【００８２】
さらに、前述した実施の形態の例においては、入力結合電極40ａ，出力結合電極40ｂ，補助共振電極31ａ，31ｂ，31ｃが、積層体10の同じ層間Ｂに配置された例を示したが、入力結合電極40ａおよび出力結合電極40ｂと補助共振電極31ａ，31ｂ，31ｃとが、積層体10の異なる層間に配置されるようにしてもよく、入力結合電極40ａと出力結合電極40ｂとが積層体10の異なる層間に配置されるようにしてもよく、補助共振電極31ａ，31ｂ，31ｃ同士が積層体10の異なる層間に配置されるようにしても構わない。
【００８３】
またさらに、前述した実施の形態の例においては、補助入力結合電極41ａおよび補助出力結合電極41ｂが積層体10の同じ層間Ｃに配置された例を示したが、補助入力結合電極41ａと補助出力結合電極41ｂとが積層体10の異なる層間に配置されるようにしても構わない。
【００８４】
さらにまた、前述した実施の形態の例においては、３つの共振電極30ａ，30ｂ，30ｃを電磁界結合させてバンドパスフィルタを構成した例を示したが、例えば、２つ或いは４つ以上の共振電極を電磁界結合させてバンドパスフィルタを構成しても構わない。要求される電気特性および許容される形状寸法に応じて選択することができる。
【００８５】
またさらに、前述した実施の形態の例においては、積層体10の下面に第１のアース電極21を配置し、積層体10の上面に第２のアース電極22を配置した例を示したが、例えば、第１のアース電極21の下にさらに誘電体層11を配置しても構わないし、第２のアース電極22の上にさらに誘電体層11を配置しても構わない。
【００８６】
またさらに、ＵＷＢに用いられるバンドパスフィルタを例示してこれまで説明を行なってきたが、広帯域を要求される他の用途においても本発明のバンドパスフィルタが有効であることは言うまでもない。
【実施例】
【００８７】
次に、本発明のバンドパスフィルタの具体例について説明する。
【００８８】
図１〜図４に示した第１構造を有する実施の形態の第１の例のバンドパスフィルタおよび図５〜図８に示した第２構造を有する実施の形態の第２の例のバンドパスフィルタ、そして、比較例として、実施の形態の第１の例のバンドパスフィルタにおいて出力結合電極40ｂの形状を入力結合電極40ａと同一とした第３構造を有するバンドパスフィルタの電気特性を有限要素法を用いたシミュレーションによって算出した。算出条件は、誘電体層11の比誘電率を9.4とした。共振電極30ａ，30ｂ，30ｃは幅0.4ｍｍ，長さ5.55ｍｍとし、隣り合う共振電極同士の間隔は0.095ｍｍとした。入力端子電極60ａおよび出力端子電極60ｂは一辺が0.3ｍｍの正方形とした。入力結合電極40ａは幅0.3ｍｍ，長さ5.5ｍｍとし、出力結合電極40ｂは、幅が0.3ｍｍ，第１構造および第２構造における長さは6.55ｍｍ，第３構造における長さは5.55ｍｍとした。第２構造における補助アース電極24は幅0.7ｍｍ，長さ0.9ｍｍとした。バンドパスフィルタ全体の厚みを0.61ｍｍとし、厚み方向の中央に層間Ａが位置するようにした。層間Ａと層間Ｂとの間、および層間Ｂと層間Ｃとの間の間隔はそれぞれ0.08ｍｍとした。
【００８９】
図14はそのシミュレーション結果を示すグラフであり、横軸は周波数，縦軸は減衰量を表しており、バンドパスフィルタの通過特性（Ｓ21）を示している。図14に示すグラフによれば、従来の１／４波長共振器を用いたフィルタで実現されていた領域よりも遙かに広い、比帯域で40％程度に相当する3.2ＧＨｚ〜4.7ＧＨｚの周波数範囲の全体において減衰が少ない低損失な特性が第１構造〜第３構造の全てのバンドパスフィルタにおいて得られている。また、第３構造のバンドパスフィルタでは8.5ＧＨｚ付近に入力結合電極40ａおよび出力結合電極40ｂの１／２共振による減衰極が形成されているのに対して、第１構造のバンドパスフィルタでは出力結合電極40ｂの１／２共振による減衰極が7.5ＧＨｚ付近まで移動しており、第２構造のバンドパスフィルタでは出力結合電極40ｂの１／２共振による減衰極が７ＧＨｚ付近まで移動している。これによって、本発明のバンドパスフィルタによれば、通過帯域よりも高周波側の任意の周波数に入力結合電極40ａおよび出力結合電極40ｂの１／２波長共振による減衰極を形成することが可能であり、これにより、通過帯域よりも高周波側における減衰量の分布をコントロールできることがわかる。そして、本発明のバンドパスフィルタによれば、広い通過帯域の全域に渡って平坦で低損失である優れた通過特性と通過帯域近傍の高周波側における充分な減衰量が得られており、本発明の有効性が確認できた。
【図面の簡単な説明】
【００９０】
【図１】本発明のバンドパスフィルタの実施の形態の一例を模式的に示す外観斜視図である。
【図２】図１に示すバンドパスフィルタの模式的な分解斜視図である。
【図３】図１に示すバンドパスフィルタの上下面および層間を模式的に示す平面図である。
【図４】図１のＸ−Ｘ’線断面図である。
【図５】本発明のバンドパスフィルタの実施の形態の他の例を模式的に示す外観斜視図である。
【図６】図５に示すバンドパスフィルタの模式的な分解斜視図である。
【図７】図５に示すバンドパスフィルタの上下面および層間を模式的に示す平面図である。
【図８】図５のＹ−Ｙ’線断面図である。
【図９】本発明のバンドパスフィルタの実施の形態のさらに他の例を模式的に示す外観斜視図である。
【図１０】図９に示すバンドパスフィルタの模式的な分解斜視図である。
【図１１】図９に示すバンドパスフィルタの上下面および層間を模式的に示す平面図である。
【図１２】図９のＺ−Ｚ’線断面図である。
【図１３】本発明のバンドパスフィルタを用いた無線通信モジュールおよび無線通信機器の構成例を示すブロック図である。
【図１４】本発明および比較例のバンドパスフィルタの電気特性のシミュレーション結果を示す図である。
【符号の説明】
【００９１】
10：積層体
11：誘電体層
21：第１のアース電極
22：第２のアース電極
23：環状アース電極
24：補助アース電極
30ａ，30ｂ，30ｃ：共振電極
31ａ，31ｂ，31ｃ：補助共振電極
40ａ：入力結合電極
40ｂ：出力結合電極
41ａ：補助入力結合電極
41ｂ：補助出力結合電極
51ａ，51ｂ，51ｃ：第１の貫通導体
52ａ：第２の貫通導体
52ｂ：第３の貫通導体
80：無線通信モジュール
85：無線通信機器
【図１】
0004610584.tif 000002
【図２】
0004610584.tif 000003
【図３】
0004610584.tif 000004
【図４】
0004610584.tif 000005
【図５】
0004610584.tif 000006
【図６】
0004610584.tif 000007
【図７】
0004610584.tif 000008
【図８】
0004610584.tif 000009
【図９】
0004610584.tif 000010
【図１０】
0004610584.tif 000011
【図１１】
0004610584.tif 000012
【図１２】
0004610584.tif 000013
【図１３】
0004610584.tif 000014
【図１４】
0004610584.tif 000015